(57)【特許請求の範囲】
【請求項１】
車両用ドアの周囲に装着されるドアウエザーストリップにして、ドアサッシュのうち長手方向で所定の勾配を持つ上辺部に沿って配設される上辺部相当部の低位側と同じくドアサッシュの縦辺部に沿って配設される縦辺部相当部とを接続している型成形部を含んでいるドアウエザーストリップの排水構造であって、
上記上辺部相当部と型成形部は、共に取付基部と中空シール部およびサブシール部を備えているとともに、取付基部の室外側となる背面にはドアサッシュに当接して排水溝を形成するパネルリップを上下二段にわたって突出形成してあり、
上記上辺部相当部の取付基部には相互に独立した室内側中空部と室外側中空部とを形成してあるとともに、当該取付基部の背面には排水溝と室外側中空部を連通させる連通穴を形成してあり、
上記型成形部の取付基部では上辺部相当部側の室外側中空部に相当する部分が消失していて当該部分までもが排水溝の一部として機能するようになっているとともに、
上記型成形部における取付基部の背面の排水溝は、型成形部と上辺部相当部との接続部から遠ざかるにしたがってその車室内外方向での深さが漸次小さくなるように設定してあることを特徴とするドアウエザーストリップの排水構造。
【請求項２】
上記上辺部相当部における取付基部の室内側中空部はドアサッシュへの取り付けのためのクリップの挿入空間となっていることを特徴とする請求項１に記載のドアウエザーストリップの排水構造。
【請求項３】
上記型成形部における取付基部の背面の排水溝に、その排水機能と両立できるリブを長手方向に沿って間欠的に設けたことを特徴とする請求項２に記載のドアウエザーストリップの排水構造。
【発明の詳細な説明】
【技術分野】
【０００１】
本発明は、車両用ドアの周囲に装着されるドアウエザーストリップの排水構造に関する。
【背景技術】
【０００２】
自動車のドアの周囲に装着されるドアウエザーストリップのうち特にドアサッシュの上辺部に相当する部分では、例えば洗車時の高圧水を受けた場合や豪雨時に雨水等がウエザーストリップの裏側を通過してしまういわゆるくぐり水と称される現象が起こり、その水が室内側に浸入することがある。その対策として、特許文献１，２に記載の技術が提案されている。
【０００３】
特許文献１に記載された技術では、ドアウエザーストリップの背面側に高発泡スポンジ等の軟質部材を付設し、ドアウエザーストリップの取付時にその軟質部材をドアサッシュ側の突起部に密接させるようにしている。
【０００４】
また、特許文献２に記載された技術では、ドアサッシュの上辺部側から流下する水をそれよりも低位側の型成形部にて処理するべく、その型成形部における取付基部の裏側に防水リブを形成するとともに、当該取付基部の裏側に中子抜き穴が不可避的に形成される点に着目し、上辺部側から流下する水を防水リブにて止水できなかった場合に、中子抜き穴の一部を排水口として有効利用してその水を捕集した上で、それよりも下側の押出成形部の中空シール部へと排水するようにしている。
【先行技術文献】
【特許文献】
【０００５】
【特許文献１】特開２００２−２４０５７２号公報
【特許文献２】特許第４５６９２２０号公報
【発明の概要】
【発明が解決しようとする課題】
【０００６】
しかしながら、特許文献１に記載のように、ウエザーストリップの背面側に高発泡スポンジ等の軟質部材を貼り付けると、必然的にコストアップが余儀なくされる。
【０００７】
また、特許文献２に記載された技術では、型成形部における取付基部の裏面にて止水と止水しきれなかった水の捕集とを行うものであるが、そもそも型成形部では構造の特殊性から剛性が十分でないために止水の信頼性が低く、なおも「くぐり水」現象が発生しやすい。その上、型成形部の裏面の中子抜き穴の一部を排水口として捕集された水は、最終的にはそれよりも下側の押出成形部の中空シール部を排水路とするべくその中空シール部の内空間へ排水することとなっているため、その中空シール部に設定されるクリップ取付穴やエア抜き穴から室内側に水が漏れ出す可能性があることは否めない。
【０００８】
本発明はこのような課題に着目してなされたものであり、特にドアウエザーストリップのうちドアサッシュの上辺部相当部から流下する水をそれよりも低位側の型成形部にて外部に確実に排水処理して、コストアップを招くことなく室内側への浸入を未然に防止したドアウエザーストリップの排水構造を提供するものである。
【課題を解決するための手段】
【０００９】
請求項１に記載の発明は、車両用ドアの周囲に装着されるドアウエザーストリップにして、ドアサッシュのうち長手方向で所定の勾配を持つ上辺部に沿って配設される上辺部相当部の低位側と同じくドアサッシュの縦辺部に沿って配設される縦辺部相当部とを接続している型成形部を含んでいるドアウエザーストリップの排水構造である。
【００１０】
その上で、上記上辺部相当部と型成形部は、共に取付基部と中空シール部およびサブシール部を備えているとともに、取付基部の室外側となる背面にはドアサッシュに当接して排水溝を形成するパネルリップを上下二段にわたって突出形成してある。また、上記上辺部相当部の取付基部には相互に独立した室内側中空部と室外側中空部とを形成してあるとともに、当該取付基部の背面には排水溝と室外側中空部を連通させる連通穴を形成してある。そして、上記型成形部の取付基部では上辺部相当部側の室外側中空部に相当する部分が消失していて当該部分までもが排水溝の一部として機能するようになっているとともに、上記型成形部における取付基部の背面の排水溝は、型成形部と上辺部相当部との接続部から遠ざかるにしたがってその車室内外方向での深さが漸次小さくなるように設定してある。
【００１１】
この場合において、請求項２に記載のように、上記上辺部相当部における取付基部の室内側中空部はドアサッシュへの取り付けのためのクリップの挿入空間となっていても良い。
【００１３】
また、型成形部での排水性とともに剛性を確保する上では、請求項３に記載のように、上記型成形部における取付基部の背面の排水溝に、その排水機能と両立できるリブを長手方向に沿って間欠的に設けてあることが望ましい。
【００１４】
したがって、少なくとも請求項１に記載の発明では、ドアウエザーストリップのうちドアサッシュの上辺部相当部では、取付基部の背面に排水溝と室外側中空部を連通させる連通穴を形成してあることで、その室外側中空部を排水溝の一部として有効利用できるようになることで、排水溝の面積の拡大化が図られて、いわゆる「くぐり水」現象を防止する上で有利となる。
【００１５】
その一方、上辺部相当部の室外側中空部を排水溝の一部として有効利用するならば、その室外側中空部内に入った水を確実に外部を排水する必要がある。そこで、ドアウエザーストリップにおける上辺部相当部の低位側に接続されることになる型成形部では、上辺部相当部側の室外側中空部に相当する部分が消失していて当該部分までもが排水溝の一部として機能するようになっている。これは、型成形部側では、実質的に上辺部相当部側の室外側中空部と排水溝とを合体させた領域が当該型成形部側での排水溝となっていることにほかならない。つまり、上記の上辺部相当部側の排水溝と型成形部側の排水溝との連続性が保たれているのに加えて、上辺部相当部側における室外側中空部の下端は型成形部側の排水溝に開口して当該排水溝に連通していることになる。そのために、上辺部相当部側の室外側中空部に入った水は型成形部側の排水溝へとスムーズに流れることになり、上辺部相当部側での排水性が良好なものとなる。
【発明の効果】
【００１６】
請求項１に記載の発明によれば、上辺部相当部側での排水面積が拡大化されて確実に排水できるようになり、排水性が向上する。具体的には、上辺部相当部から流下する水をそれよりも低位側の型成形部にて外部に確実に排水処理して、室内側への浸入を未然に防止できる。また、上辺部相当部と型成形部とでは、上下二段のパネルリップによって形成されるところの排水溝が連続しているため、上辺部相当部側から流下する水が型成形部において底面側に回り込むことがなくなり、いわゆる「裏くぐり水」の発生を未然に防止することができる。さらに、型成形部における排水溝は、型成形部と上辺部相当部との接続部から遠ざかるにしたがってその車室内外方向での深さが漸次小さくなるように設定してあるため、排水溝の水が徐々に室外側に寄せられることで排水性が一段と向上する。
【００１７】
請求項２に記載の発明によれば、上辺部相当部における取付基部の室内側中空部は室外側中空部から独立したクリップ挿入空間となっているため、ドアサッシュへの取り付けのためのクリップを挿入したとしても水漏れ等を誘発するおそれがない。
【００１９】
請求項３に記載の発明によれば、型成形部における排水溝にその排水機能と両立できるリブを長手方向に沿って間欠的に設けてあるため、排水性を確保しながら同時に型成形部の剛性も向上し、型成形部でのシール性が向上する。
【図面の簡単な説明】
【００２０】
【図１】ドアウエザーストリップを備えた自動車のフロントドアを室内側から見た斜視図。
【図２】図１のＡ−Ａ線断面に相当する断面図で、従来からの構造を示す拡大断面図。
【図３】本発明に係るドアウエザーストリップの排水構造を示す図で、図１のＡ−Ａ線に沿う拡大断面図。
【図４】図１のＢ部における型成形部の拡大図。
【図５】図４の各部の断面図を示し、（Ａ）は図４のＣ１−Ｃ１に沿う拡大断面図、（Ｂ）は図４のＣ２−Ｃ２に沿う拡大断面図、（Ｃ）は図４のＣ３−Ｃ３に沿う拡大断面図。
【図６】同じく図４の各部の断面図を示し、（Ａ）は図４のＣ４−Ｃ４に沿う拡大断面図、（Ｂ）は図４のＣ５−Ｃ５に沿う拡大断面図、（Ｃ）は図４のＣ６−Ｃ６に沿う拡大断面図。
【図７】図４の型成形部を室内側から見た斜視図。
【図８】図７の型成形部を別の角度から見た斜視図。
【図９】図８のＥ−Ｅ線に沿う断面説明図。
【発明を実施するための形態】
【００２１】
図１〜９は本発明を実施するためのより具体的な第１の形態を示し、特に図１はドアウエザーストリップ４が装着された自動車のフロントドア（以下、単にドアと言う。）１を室内側から見た概略構造を示し、図２，３は共に図１のＡ−Ａ線に沿う断面図を示している。また、図４は図１におけるドアウエザーストリップ４のＢ部の拡大図を示している。さらに、図５，６は図４におけるＣ１〜Ｃ６線に沿う各部の断面図を示している。
【００２２】
図１に示すように、ドア本体２とドアサッシュ３とからなるドア１の周囲にはドアウエザーストリップ４が閉ループ状に装着されており、均一断面形状のものとして押出成形された一般部たる押出成形部５，６同士が前後の型成形部７，８にて接続されている。ここで、押出成形部５はドアサッシュ３の上辺部に沿って延在するものであるので、当該押出成形部５を上辺部相当部と呼称するものとすると、この上辺部相当部５の後端が型成形部７を介して押出成形部６のうち後側の縦辺部相当部６ａと接続されていて、上辺部相当部５の前端が型成形部８を介して押出成形部６のうち前側の縦辺部相当部６ｂと接続されている。
【００２３】
図２は図１における上辺部相当部５の型成形部７寄りの断面図、すなわち図１のＡ−Ａ線に沿う従来の断面図を示している。この上辺部相当部５では、ドアサッシュ３への取付部となる取付基部９と、この取付基部９から突出形成されてメインとなる中空シール部として機能する中空状のシールリップ１０と、同じく取付基部９から突出形成されてサブシール部として機能するサブシールリップ１１とを備えている。取付基部９には隔壁部１２を介して相互に独立した室内側中空部１３と室外側中空部１４とが並設されているほか、取付基部９の背面側には二段にわたってパネルリップ１５，１６が突出形成されている。
【００２４】
室内側中空部１３はクリップ挿入空間としての機能を併せ持っており、取付基部９をドアサッシュ４に固定するためのクリップ１７の頭部が挿入される。また、二段のパネルリップ１５，１６はドアサッシュ３のヘミングフランジ部３ａに弾接することで閉空間としていわゆる樋状の排水溝１８を形成している。
【００２５】
ここで、図２から明らかなように、洗車時の高圧水や多量の雨等が排水溝１８に溜まってその保有量が多くなると、水Ｗが加圧されて同図に矢印Ｍで示すように取付基部９の裏側に回り込む「裏くぐり水」という現象が発生し易くなる。このように水Ｗが溜まる原因は、図１に示すように上辺部相当部５がドアサッシュ３の該当部位とともに車両前方側に向かって所定の勾配で傾斜してはいても、特に上辺部相当部５のうち型成形部７に近い後部側では傾斜の度合いが滑らかで、排水溝１８の水Ｗが車両前方側に流れにくいことに基づいている。
【００２６】
そこで、本実施の形態では、図３に示すように、上辺部相当部５の後部側（図１の型成形部７に近い部分）においては、取付基部９の背面側の室外側壁部１９に単一の連通穴２０または複数の連通穴２０を所定のピッチで間欠的に形成して、室外側中空部１４と排水溝１８とを連通させてある。これにより、室外側中空部１４を排水溝１８の一部として有効利用することで排水路面積が拡大化されて、排水溝１８単独で保有しなければならない水の保有量が相対的に減少することになる。その結果、排水性が良好なものとなるとともに、図２に示したような「裏くぐり水」の発生を未然に防止できることになる。しかも、室外側中空部１４に隣接する室内側中空部１３がクリップ挿入空間となってはいても、両者は隔壁部１２によって隔離されているので、クリップ１７があることによる水漏れのおそれもない。なお、先に述べた連通穴２０が形成されていない部位の断面形状は図２と同じである。
【００２７】
上記のように上辺部相当部５の排水溝１８および室外側中空部１４で保有された水は、図１に示したように低位側であるもう一方の型成形部８側に向かって流下することになるので、型成形部８において外部に確実に排水できるような排水性が確保されていなければならない。
【００２８】
図４は図１に示した型成形部８の詳細を示し、さらに図５，６は図４におけるＣ１〜Ｃ６の各部の断面図を示している。図４から明らかなように、型成形部８は先にも述べたように図１の上辺部相当部５と前側の縦辺部相当部６ｂとを接続部２１，２２にて相互に接続していて、図５，６から明らかなように、長手方向において上辺部相当部５側の断面形状から前側の縦辺部相当部６ｂの断面形状へと徐変している。
【００２９】
図４および図５の（Ａ）に示すように、上辺部相当部５のうち接続部２１の直近位置では取付基部９における室外側壁部１９が切除されていて、実質的に図３に示した室外側中空部１４と排水溝１８とが一体化された形状となっている。この上辺部相当部５の端末部に連続することになる型成形部８の断面形状についても図５の（Ｂ），（Ｃ）および図６の（Ａ），（Ｂ）に示すように図５の（Ａ）とほぼ同一形状のものとなっていて、図３に示した室外側中空部１４と一体化されることで拡大化された形状の排水溝１８が形成されている。そして、型成形部８における排水溝１８の車室内外方向での深さ寸法Ｄに着目した場合、接続部２１から遠ざかるにしたがってその深さ寸法Ｄが漸次小さくなるように形成してある。さらに、図６の（Ｃ）に示すように、型成形部８のうち低位側の接続部２２に近い部分では前側の縦辺部相当部６ｂと同等の断面形状をもって収束して当該縦辺部相当部６ｂに接続されている。
【００３０】
ここで、図７は図４の型成形部８を室外側（背面側）から見たときの形状を示し、図８は図７の型成形部８を別の角度から見た形状を示している。さらに、図９は図８のＥ−Ｅ線に沿う断面図を示している。これらの図７〜９において、型成形部８は先にも述べたように図７，８の上方から下方に向かってその断面形状が徐変していることから、図５，６に示すように排水溝１８の車室内外方向での深さ寸法Ｄの変化に伴って室内側中空部１３の領域も次第に大きくなり、やがては中子抜き穴２３が開口する中空状のシールリップ１０と一体化されている。
【００３１】
また、図８，９に示すように、型成形部８のうち接続部２１の直近位置では、先に述べた上辺部相当部５側の排水溝１８の一部、すなわち上辺部相当部５側の排水溝１８のうち室外側中空部１４に相当する部分が型成形部８側の排水溝１８に臨んで開口部２４として開口している。なお、図８では開口部２４をわかりやすくするために該当部位に斜線を付してある。これにより、上辺部相当部５側の排水溝１８と型成形部８側の排水溝１８との連続性とともに、上辺部相当部５側の室外側中空部１４と型成形部８側の排水溝１８との連続性が確保されている。
【００３２】
さらに、図５，６のほか図８，９に示すように、型成形部８の排水溝１８にはその長手方向に沿って所定のピッチで複数のリブ２５を形成してある。これらのリブ２５は排水溝１８本来の排水機能に支障をきたすことがないようにその排水機能と両立できるように考慮してあり、一方のパネルリップ１６の根元部と隔壁部１２とにまたがってウェブ状のものとして形成し、それらのリブ２５と基部９または他方のパネルリップ１５との間には所定の隙間Ｇを確保してある。そして、先に述べたように排水路面積が拡大化された排水溝１８が長手方向に沿って形成されている型成形部８については、その排水路面積の拡大化により隔壁部１２よりも室外側でとかく剛性不足になりがちであるが、上記のように複数のリブ２５を形成することでその剛性不足を補っている。
【００３３】
したがって、本実施の形態によれば、図３に示したように上辺部相当部５側において排水溝１８で捕集または捕捉された水は、その排水溝１８が連通穴２０を介して室外側中空部１４とも連通しているために、排水溝１８だけでなく室外側中空部１４を通して型成形部８側に流下することは先に述べたとおりである。
【００３４】
その一方、図７〜９から明らかなように、上辺部相当部５側の排水溝１８と型成形部８側の排水溝１８とはその連続性が確保されていて、しかも図８に示したように上辺部相当部５側の室外側中空部１４の端末は開口部２４をもって型成形部８側の排水溝１８に開口しているため、上辺部相当部５側から流下する水は排水溝１８側からのものであるか室外側中空部１４側からのものであるかにかかわらず、型成形部８側の排水溝１８に流入することになる。こうして型成形部８側の排水溝１８に流入した水は、複数のリブ２５によってその流れを阻害されることなく隙間Ｇを含む排水溝１８に沿ってさらに流下することになる。
【００３５】
そして、図４および図６から明らかなように、型成形部８の接続部２２から下側ではそれより上側のサブシールリップ１１やパネルリップ１６が消失し、残されたパネルリップ１５が前側の縦辺部相当部６ｂ側のパネルリップ２６（図６の（Ｃ）および図７参照）に連続しているので、最終的には型成形部８からその下方の前側の縦辺部相当部６ｂに沿って伝い落ちる水は縦辺部相当部６ｂにおいてそのシールリップ２６よりも室外側に排出されることになる。
【００３６】
ここで、図５，８および図９に示すように、排水溝１８の車室内外方向での深さ寸法Ｄが漸次小さくなっているので、型成形部８の排水溝１８を流下する過程で水が徐々に室外側へと誘導される。詳述すれば、図９に示すように、隔壁部１２は接続部２１から遠ざかるにしたがって室外側へ変位しているため、水が矢印で示すように徐々に室外側に誘導される。さらに、図６，８に示すように、型成形部８のうち接続部２２に近い部分では、一方のパネルリップ１６が漸次消失してドアサッシュ３のヘミングフランジ部３ａから離間するようになるとともに、排水溝１８が閉空間ではなくなることで、型成形部８側から流下する水を前側の縦辺部相当部６ｂの室外側に排水することが一段と容易となる。
【００３７】
このように本実施の形態によれば、上辺部相当部５側では排水溝１８だけでなく室外側中空部１４までもが実質的に排水溝１８としての機能を有していて、その排水路面積の拡大化が図られているので、図２に示したようないわゆる「裏くぐり水」が発生することがなく、室内側への水の浸入を未然に防止することができる。
【００３８】
また、上辺部相当部５側の排水溝１８等にて捕集または捕捉された水は、図７に矢印で示すように、型成形部８側の排水溝１８から前側の縦辺部相当部６ｂに伝い落ちて車外側に排水されることになるので、排水性もきわめて良好なものとなる。
【００３９】
ここで、上記実施の形態では、フロントドア１のドアウエザーストリップ４に適用した場合について例示しているが、必要に応じてリアドア等のドアウエザーストリップの同等部位に本発明を適用することももちろん可能である。
【符号の説明】
【００４０】
１…フロントドア
３…ドアサッシュ
４…ドアウエザーストリップ
５…上辺部相当部（押出成形部）
６…押出成形部
６ｂ…前側の縦辺部相当部
８…型成形部
９…取付基部
１０…シールリップ（中空シール部）
１１…サブシールリップ（サブシール部）
１３…室内側中空部
１４…室外側中空部
１５…パネルリップ
１６…パネルリップ
１７…クリップ
１８…排水溝
２０…連通穴
２１…接続部
２２…接続部
２４…開口部
２５…リブ
【図１】
0005800560.tif 000002
【図２】
0005800560.tif 000003
【図３】
0005800560.tif 000004
【図４】
0005800560.tif 000005
【図５】
0005800560.tif 000006
【図６】
0005800560.tif 000007
【図７】
0005800560.tif 000008
【図８】
0005800560.tif 000009
【図９】
0005800560.tif 000010